(57)【要約】【課題】  テーブルと脚が一体化しており、ワンタッチ操作で組立てと折り畳みが行える軽量でコンパクトな折り畳みテーブルを提供する。  【解決手段】  四角形材で、左右外縦枠１，２と上下外横枠３，４で構成する四角形の外枠と左右内縦枠５，６と上下内横枠７，８で構成する四角形の内枠を内接させて左右両縦枠を回動可能に軸着し、外枠と内枠がＸ字立設状態で上下両横枠が水平と平行となる任意の角度付きの両四角形を形成する。Ｘ字立設状態で外枠と内枠の上面に、内側に任意の角度を設けた固定天板１１を上外横枠３の上面に載設し、上内横枠７上面に達し裏面に上内横枠７の外面に当接する係止板１３を設けた可動天板１２を上外横枠３の内面に複数個所蝶着し、左右外縦枠の軸着部下部側面に左右内縦枠側面に当接する開き防止板１５を設ける。【選択図】図１
2008212390.tif 000002
【特許請求の範囲】
【請求項１】
四角形材で、左右外縦枠と上下外横枠で構成する四角形の外枠と左右内縦枠と上下内横枠で構成する四角形の内枠を内接させて左右両縦枠を回動可能に軸着し、外枠と内枠がＸ字立設状態で上下両横枠が水平と平行となる任意の角度付きの両四角形を形成する。Ｘ字立設状態で外枠と内枠の上面に、内側に任意の角度を設けた固定天板を上外横枠上面に載設し、上内横枠上面に達し裏面に上内横枠外面に当接する係止板を設けた可動天板を上外横枠内面に複数個所蝶着し、左右外縦枠の軸着部下部側面に左右内縦枠側面に当接する開き防止板を設けたことを特徴とする折り畳みテーブル。
【請求項２】
主要部材に木材系の材料を使用したことを特徴とする請求項１に記載の折り畳みテーブル。
【発明の詳細な説明】
【技術分野】
【０００１】
折り畳みテーブルを構成する天板と支持する脚に相当する外枠と内枠が一体化しておりワンタッチで組み立てと折り畳みが容易に行える折り畳みテーブルに関する。
【背景技術】
【０００２】
従来の折り畳みテーブルは、一般的に天板と支持する脚が単独又は一部連結して天板の四隅に回動可能に位置しておりコンパクトに起立、収納でき持ち運びが容易であり起立時においては安全で十分な強度を有し、安定した状態で使用できることが前提となっている。従って、使用場所が限定され型式も標準化されている物が多い。
【特許文献１】特開２００５−１３０９１３
【特許文献２】特開２００６−４３０４７
【発明の開示】
【発明が解決しようとする課題】
【０００３】
解決しようとしている問題点は、従来提供されている折り畳みテーブルは天板に対する折り畳みを行う脚がコンパクト且つ安定した状態を保たなくてはならないので取り付けが複雑で部品点数も多くテーブル面積当たりの重量も大きくなる。従って、容易に持ち運びとワンタッチ感覚での組み立てと折り畳みに難点がありアンバランスな折り畳みテーブルが多く最近は軽量であまり強度を必要としない簡単に持ち運びと折り畳みが出来るテーブルが求められている。
【課題を解決するための手段】
【０００４】
四角形材で、左右外縦枠と上下外横枠で構成する四角形の外枠と左右内縦枠と上下内横枠で構成する四角形の内枠を内接させて左右両縦枠を回動可能に軸着し、外枠と内枠がＸ字立設状態で上下両横枠が水平と平行となる任意の角度付きの両四角形を形成する。Ｘ字立設状態で外枠と内枠の上面に、内側に任意の角度を設けた固定天板を上外横枠上面に載設し、上内横枠上面に達し裏面に上内横枠外面に当接する係止板を設けた可動天板を上外横枠内面に複数個所蝶着し、左右外縦枠の軸着部下部側面に左右内縦枠側面に当接する開き防止板を設けてなる。
【０００５】
主要部材に木材系の材料を使用してなる。
【発明の効果】
【０００６】
本発明の折り畳みテーブルは、四角形の外枠と内枠をＸ字状態で立設した時に両上下両横枠が水平で平行となるように回動可能に軸着してあり上面の天板は固定天板と可動天板に２分割し、固定天板は上外横枠上面に載設、可動天板は上外横枠内面に蝶着しているので内枠と外枠を開くと上内横枠に沿って動き可動天板裏面の係止板が上内横枠外側面に当接係止してテーブルが完成する。折り畳みも可動天板の係止板を外し外枠と内枠を合わせるだけで可動天板が自重で下がるので自然に折り畳みが行える。又、可動天板の係止板を外した時には左右外縦枠側面に設けた開き防止板が内枠外側面に当接して一定以上の開きを防止するので組み立て、折り畳みが安心して行える。
【０００７】
従って、ワンタッチ感覚で組立てと折り畳みができ持ち運びが容易なのでテーブル上に一定以上の重量物を置かないことを前提にすれば室内、屋外、各種イベント、レジャー用等多様な場所での使用に対応できる。
【０００８】
主要部材に環境に優しい木材を使用すれば加工が容易なので多様な寸法の製品に対応でき軽量でもあり資源の有効利用にもなる。又、塗装を人と環境に優しく作業性に優れた天然木材保護塗料プラネットカラー（クライデシアイト社―ドイツ製）を使用すればより効果的である。
【発明を実施するための最良の形態】
【０００９】
左右縦枠と上下横枠で構成する四角形で外枠と内枠を軸着で一体と回動する外枠と内枠それぞれの上下横枠を左右縦枠がＸ字状で立設した状態で水平と平行になるように形成する。天板は外枠の上横枠部で二分割し上横枠部分は載設し、他方は外上横枠内面に複数個所蝶着し裏面に内枠の外側に当接して係止する係止板を設けてＸ字状に立設させる。又、可動天板の内枠受けが無くても外枠と内枠が一定以上開かないように左右外縦枠側面に開き脚防止板を設けて内枠側面を当接系止させる。
【実施例】
【００１０】
以下、本発明の実施例を図面に基づいて説明する。図１は、本発明に係わる折り畳みテーブルの裏面斜視図である。左外縦枠１、右外縦枠２、上外横枠３、下外横枠４で構成する外枠と左内縦枠５、右内縦枠６、上内横枠７、下内横枠８で構成する内枠を上外横枠３と上内横枠７、下外横枠４と下内横枠８が水平と平行となるＸ字立設状態に軸９と軸止め１０で軸着して立設させる。上面には固定天板１１を上外横枠３に載設し可動天板は蝶番１４で上外横枠の内面に蝶着し裏面端部に設けた係止板１３を上内横枠外側面に係止させて外枠と内枠の立設状態を保つ。更に、係止板１３が作用しない場合に外枠と内枠が開くのを防止する為に左外縦枠１と右外縦枠２の側面に左内縦枠５と右内縦枠６に当接して係止させる開き防止板１５を設ける。
【００１１】
図２は、折り畳みテーブルの折り畳んだ状態の平面図、図３は図２のＡ−Ａ断面図である。左右外縦枠１，２と左右内縦枠５，６が平行となり、上外横枠３と上内横枠７、下外横枠４と下内横枠８はＡ−Ａ断面のように互いが傾斜して角部が当接するので反対方向には開かない。又、天板１２は蝶番１４を介して自動的に折畳まれている。
【００１２】
図４折り畳みテーブルを組み立て途中の正面図である。折り畳んだ状態より組立てる時には可動天板１２は内枠の移動に従って上に持ち上げられる。この場合固定天板１１の内側には可動天板１２の角部が干渉しないように任意の角度を設けておかなくてはならない。又、折り畳みの場合には逆の手順で行う。いずれの場合も可動天板１２と外枠と内枠を操作するだけで容易に組立てと折り畳みを行うことが出来る。
【００１３】
図５は折り畳みテーブルを組立てた正面図である。係止板１３が内枠上面外側面に当接することにより安定した状態を保つことが出来る。尚、折り畳み時には係止板１３を外すが、この際に外枠と内枠が一定以上開かないように開き防止板１５を外枠側面に設けておくことにより全開脚を防止する。
【図面の簡単な説明】
【００１４】
【図１】折り畳みテーブルの裏面斜視図である。
【図２】折り畳みテーブルの折畳んだ平面図である。
【図３】折り畳みテーブル図２のＡ−Ａ断面図である。
【図４】折り畳みテーブルの組み立て途中の正面図である。
【図５】折り畳みテーブルの組立てた正面図である。
【符号の説明】
【００１５】
１  左外縦枠                  １０  軸受け
２  右外縦枠                  １１  固定天板
３  上外横枠                  １２  可動天板
４  下外横枠                  １３  係止板
５  左内縦枠                  １４  蝶番
６  右内縦枠                  １５  開き防止板
７  上内横枠
８  下内横枠
９  軸
【図１】
2008212390.tif 000003
【図２】
2008212390.tif 000004
【図３】
2008212390.tif 000005
【図４】
2008212390.tif 000006
【図５】
2008212390.tif 000007